(57)【要約】【課題】適切な高さ、サイズとして設置現場で束石を作製可能な技術を提供する。また、床束に大引きを設置する際、又は設置した後に、床束における大引きの支持面の高さを適切な高さに調整することが可能な、束石を提供する。【解決手段】上記課題を解決するために、束石１は、底蓋と、底蓋と上下動自在に取着されている上蓋とを備える。上蓋３と底蓋２との間の距離が遠近自在になっているため、束石１の高さを調整することができる。これによって、大引きを床束１００に取り付けた後に、床束１００の上面と大引きとの間に隙間ができている不具合や、各床束１００の上面の高さが若干ずれている不具合がある場合に、施工現場（設置現場）で束石１の高さを調整して、このような不具合を無くすことができる。【選択図】図１
2014173233.tif 000002
【特許請求の範囲】
【請求項１】
底蓋と、
前記底蓋に対して上下動自在に取着されている上蓋と、
を備えた、高さ調整機能付き束石。
【請求項２】
前記上蓋は、螺着によって前記底蓋と係合されている、
請求項１に記載の高さ調整機能付き束石。
【請求項３】
前記底蓋内には、ネジ溝を有する回転体が回転自在に取付けられ、
前記上蓋内には、前記回転体のネジ溝と螺着されるネジ溝が設けられ、
前記回転体の回転によって、前記上蓋を前記底蓋に対して上下動自在に調整される、
請求項１又は２に記載の高さ調整機能付き束石。
【請求項４】
前記底蓋内に、束石本体の外部から操作可能であり、この操作によって前記回転体を回転させる回転操作部材を有している、
請求項１から３の何れかに記載の高さ調整機能付き束石。
【請求項５】
前記上蓋の上面に床束を立設するための床束支持部が設けられている、
請求項１から４の何れかに記載の高さ調整機能付き束石。
【請求項６】
前記上蓋と前記底蓋との間には、コンクリートを充填可能な内部空間が形成されている、
請求項１から５の何れかに記載の高さ調整機能付き束石。
【発明の詳細な説明】
【技術分野】
【０００１】
本発明は、床束を立てるための束石に関する。
【背景技術】
【０００２】
従来、木造住宅やデッキ等の構造物の基礎部分の構造として、ベース面に束石を設置し、その束石の上に床束を立てて、この床束の上面で大引きを支えることが一般的に行われている。この束石としては、コンクリートブロックを用いることが一般的であるが、コンクリートブロックは重たく設置現場に搬入したり設置するのに多大な労力を要することになる。そこで、特許文献１に、型枠を用いて、束石として用いられるコンクリートブロックを設置現場で生成することが提案されている。
【先行技術文献】
【特許文献】
【０００３】
【特許文献１】特開平６−５７７５８号公報
【発明の概要】
【発明が解決しようとする課題】
【０００４】
束石は、その上に設置する床束のサイズ、建物の種類や大きさ、設置する地盤の特徴などに応じて、多様なサイズ、高さのものが必要である。しかしながら、これら従来の束石では、サイズや高さ毎に製作する必要がある。また、束石を設置するベース面の地盤が緩い等の場合には、床束に大引きを設置したときに、束石がベース面に沈み込む等して、床束の上面（大引きの支持面）と大引きとの間に隙間が生じる場合がある。また、構造物の基礎部分を生成する場合には、通常、束石と床束とを複数使用するが、床束に大引きを設置する際に、施工者が、各床束の上面の高さが若干不揃いであることに気付く場合がある。このような場合には、長さの異なる床束を用意する必要があった。
【０００５】
そこで、本発明の課題は、適切な高さ、サイズとして設置現場で束石を作製可能な技術を提供することである。また、床束に大引きを設置する際、又は設置した後に、床束における大引きの支持面の高さを適切な高さに調整することが可能な、束石を提供することである。
【課題を解決するための手段】
【０００６】
上記課題を解決するために、本発明は、底蓋と、前記底蓋に対して上下動自在に取着されている上蓋と、を備えた、高さ調整機能付き束石である。
【０００７】
上記構成によれば、上蓋を底蓋に対して上下動させることにより、束石の高さ、サイズを調整することができる。また、床束に大引きを設置する際、又は設置した後に、設置現場で束石の高さを調整することで、床束における大引きの支持面の高さを適切な高さに調整することができる。
【０００８】
上記上蓋は、螺着によって底蓋と係合されていてもよい。
【０００９】
上記構成によれば、底蓋に対する上蓋の上下動を微調整することができるため、束石の高さを微調整することができる。これによって、束石の高さを微調整することで、床束における大引きの支持面の高さを好適な高さまで微調整することができる。
【００１０】
上記底蓋内には、ネジ溝を有する回転体が回転自在に取付けられてもよい。また、上記上蓋内には、前記回転体のネジ溝と螺着されるネジ溝が設けられてもよい。そして、回転体の回転によって、上蓋を底蓋に対して上下動自在に調整されてもよい。
【００１１】
上記構成によれば、回転体のネジ溝と上蓋内のネジ溝とが螺着されて噛み合っているため、回転体を回転させることで、上蓋を底蓋に対して上下動自在に調整することができる。このように、回転体のネジ溝と上蓋内のネジ溝とを螺着するように構成するだけの簡易な構成によって、束石の高さを微調整することができる。これによって、簡易な構成で高さ調整可能に束石を構成することができる。
【００１２】
上記底蓋内に、束石本体の外部から操作可能であり、この操作によって回転体を回転させる回転操作部材を有していてもよい。
【００１３】
上記構成によれば、施工者が、束石本体の外部から、回転体を回転させるための操作を回転操作部材に対して行うことで、回転体を回転させることができるため、束石の高さ調整操作を容易に行うことができる。
【００１４】
上記上蓋の上面に床束を立設するための床束支持部が設けられていてもよい。
【００１５】
上記構成によれば、床束を上蓋に取り付けるにあたって、取付け位置の位置決めが容易になる。
【００１６】
上記上蓋と上記底蓋との間には、コンクリートを充填可能な内部空間が形成されていてもよい。
【００１７】
上記構成によれば、内部空間にコンクリートを充填する量を調整することで、束石の重さを調整することができる。
【発明の効果】
【００１８】
上記構成によれば、底蓋に対して上蓋を上下動させることで、束石の高さを調整することができる。これによって、サイズ又は高さの異なる束石を製作することができる。また、床束に大引きを設置する際、又は設置した後に、設置現場で束石の高さを調整することで、床束における大引きの支持面の高さを調整することができる。
【図面の簡単な説明】
【００１９】
【図１】本実施形態にかかる束石を含む、構造物の基礎部分の斜視図である。
【図２】図１で示す束石のＡ−Ａ矢視断面図である。
【図３】図１で示す束石のＢ−Ｂ矢視断面図である。
【図４】本実施形態に係る束石の底蓋の斜視図である。
【図５】本実施形態に係る束石の回転体の斜視図である。
【図６】本実施形態に係る束石の回転操作部材の斜視図である。
【図７】本実施形態に係る束石の上蓋の斜視図である。
【図８】床束下部材の斜視図である。
【図９】床束上部材の斜視図である。
【図１０】大引き取付け部材を取り付けた状態の床束上部材の斜視図である。
【発明を実施するための形態】
【００２０】
以下、本発明の好適な一実施形態について、図面を参照しつつ説明する。
（高さ調整機能付き束石の全体構成）
図１から図３を用いて本実施形態に係る床束の概要を説明する。図１は、本実施形態に係る束石を含む、構造物の基礎部分の斜視図である。図２は、図１で示す束石のＡ−Ａ矢視断面図である。図３は、図１で示す束石のＢ−Ｂ矢視断面図である。なお、本明細書において、「上」とは図１、図２及び図３の上、「下」とは図１、図２及び図３の下、「前」とは図２における手前、「後」とは図２における奥、「右」とは図２における「右」、「左」とは図２における「左」のことである。
【００２１】
まず、図１を参照して、本実施形態に係る構造物の基礎部分の構造について説明する。本実施形態の束石１は、直方体状の部材であり、例えばコンクリートべた基礎等のベース面上に配置され、その上面で、床束１００を支持する部材である。床束１００は、高さ方向に長い直方体状の部材であり、その下端で束石１の上面に立設され、床束１００の上面には、水平方向に延びる長尺状の部材である大引きが取り付けられる。そして、この大引きの上面には、大引きと直交するように複数枚の平板状の床板が載置される。なお、図１では束石１及び床束１００を１つしか図示していないが、通常は、複数個の束石１及び床束１００が用いられる。
【００２２】
本実施形態に係る束石１は、上方に開口する箱状の底蓋２と、下方に開口する箱状の上蓋３とを備えてなる。本実施形態に係る束石１は、樹脂で形成されており、これによって軽量化されて、施工現場（設置現場）までの運搬が容易になっている。もっとも、束石１の材料は樹脂に限定されず、金属等であってもよい。図２示すように、上蓋３は、その下端縁が底蓋２内に嵌入され、上蓋３の外周面が底蓋２の内周面に倣って摺動可能とされて係合されることで、上蓋３は底蓋２に対して上下動可能とされ、束石１の高さ調整が可能になっている。具体的には、上蓋３は、底蓋２と螺着によって係合されている。より具体的には、図３に示すように、底蓋２内には、ネジ溝４ａを有する回転体４が回転自在に取付けられ、上蓋３内には、回転体４のネジ溝４ａと螺着されるネジ溝３ａが設けられている。これによって、束石１では、回転体４を回転させることによって、上蓋３を底蓋３に対して遠近自在に微調整できるようになっている。
【００２３】
また、束石１は、底蓋２内に、束石１の外部から操作可能であり、この操作によって回転体４を回転させる回転操作部材５を有している。具体的には、束石１は、上蓋３の上面３３に、回転操作用孔３７が形成され、この回転操作用孔３７から束石１の内部に操作具８を挿入し、この操作具８によって、回転操作部材５を回転操作して、この回転操作部材５の回転と連動して回転体４を回転させることができるようになっている。これによって、施工者は、束石１の外部から回転操作部材５を操作することで、回転体４を回転させることができるようになっている。
【００２４】
なお、上蓋３の上面３３には、床束１００を立設するための床束支持部３５が設けられており、これによって、床束１００の上蓋３への取付け位置の位置決めが容易になっている。
【００２５】
また、本実施形態に係る束石１は、上蓋３と底蓋２との間であって底蓋２の底面部２１及び側壁２２、上蓋３の円筒部３１、下側壁３２及び上面部３３、並びに回転体４の外周によって囲まれた領域には、コンクリートを充填可能な内部空間Ｏ１が形成されており、この内部空間Ｏ１に充填するコンクリートの量を調整することで、その高さだけでなく重さも調整することができるようになっている。なお、内部空間Ｏ１にコンクリートを全く充填せずに、束石１を使用することもできる。また、本実施形態のように、床束１００として中空状のものを用いることで、例えば、床束１００の上部からコンクリートを流し込んで、回転体４内、或いは回転体４及び床束１００内にコンクリートを充填することもできる。
【００２６】
（束石１の各構成部の詳細説明）
以下に、図１から図１０を用いて、束石１を構成する各部材、具体的には、底蓋２、上蓋３、回転体４、回転操作部材５の構成を説明する。図４は、本実施形態に係る束石の底蓋の斜視図である。図５は、本実施形態に係る束石の回転体の斜視図である。図６は、本実施形態に係る束石の回転操作部材の斜視図である。図７は、本実施形態に係る束石の上蓋の斜視図である。図８は、床束下部材の斜視図である。図９は、床束上部材の斜視図である。図１０は、大引き取付け部材を取り付けた状態の床束上部材の斜視図である。
【００２７】
（束石１の各構成部の詳細説明：底蓋２）
図１から図４を用いて底蓋２の構成を説明する。底蓋２は、平面視で四角形状であり、四角形の平板状の底面部２１と、底面部２１の周縁に亘って立設された側壁２２とから成る。底面部２１の中心には、平面視で円形の貫通孔２３が形成されており、この貫通孔２３には、回転体４の下端が嵌め入れられる。底面部２１には、貫通孔２３の周縁において上方に突出する、上端部が平らな突出部２４が形成されている。この突出部２４は、貫通孔２３に嵌め入れられた回転体４に係合して、回転体４を回転自在に支持するためのものである。突出部２４の内周面には、回転体４の下端部４７（図２参照）の外周面と摺動する突起が、突出部２４の内周面の全周にわたって貫通孔２３の中心方向に向くように形成されている。この突起によって、突出部２４の下端内周面と回転体４の下端部４７の下端外周面との間に隙間が形成される。
【００２８】
また、底面部２１における各四隅には、上方向に突出する円柱状の突出部２１ａが形成されている。この突出部２１ａは、回転操作部材５を外嵌させ、これによって、回転操作部材５を回転自在に底蓋２内に取り付けることができるようになっている。なお、突出部２１ａは、側壁２２の上縁より若干低い高さに形成されているが、突出部２１ａの高さはこの高さに限定されない。また、突出部２１ａの個数は、少なくとも１個あればよく、４個より多い又は少ない個数であってもよい。
【００２９】
側壁２２は、その各面の内側に、上蓋３の下側壁３２の外周面と摺動可能に係合される突起２２ａが形成されている。この突起２２ａは、上蓋３の下側壁３２の外周面に形成された縦スリット溝に摺動可能に嵌合される。本実施形態では、この突起２２ａは４個形成されているが、この突起２２ａの個数は４個より多い又は少ない個数であってもよい。また、必要に応じて、底蓋２（側壁２２）の下端周縁部、或いはその近傍に所定間隔に複数の水抜き孔を設けるようにしてもよい。この水抜き孔は、束石１にコンクリートを充填するときには、コンクリート中の水分を外部に放出させることができて、硬化を促進することができ、コンクリートを充填させたいときには、底蓋２内に浸入した水を排水して、束石１内に水が溜まることを防止できる。
【００３０】
（束石１の各構成部の詳細説明：回転体４）
図１から図５を用いて、回転体４の構成を説明する。回転体４は、円筒軸（回転軸）が上下方向を向く円筒状の部材である。回転体４は、一定の径で上端から下部まで伸びる円筒状のネジ溝形成部４１と、このネジ溝形成部４１の下縁から外側に突出するように延びる鍔部４２と、この鍔部４２の下面から真下方向に延びる歯車形成部４３と、ネジ溝形成部４１の下縁から内側に突出するように延びる内側突出部４４と、この内側突出部４４の先端縁から下方向に直角に延びる下端部４７とからなる。
【００３１】
下端部４７は、その径が底蓋２の底面部２１に形成された貫通孔２３の径より若干小さくなるように形成されている。下端部４７が貫通孔２３に嵌め入れられることで、回転体４が底蓋２の底面部２１に取り付けられるようになっている。なお、下端部４７が貫通孔２３に嵌め入れられると、底蓋２の底面部２１に形成された突出部２４の上端面を内側突出部４４の下面に当接させながら、この突出部２４を、下端部４７と歯車形成部４３とで挟み込むことができるようになっている。これによって、回転体４は、突出部２４によって回転自在に支持される。また、下端部４７の下端には全周にわたって所定間隔にスリット孔が形成され、回転体４内にコンクリートを流し込み硬化させる場合に、底蓋２の突出部２４の下端内周面と回転体４の下端部４７の下端外周面との間に形成された隙間から水を抜くための水抜き孔として機能し、コンクリートの硬化を促進することができる。
【００３２】
回転体４には、そのネジ溝形成部４１の外周面の上端から下端にわたって螺旋状に形成されたネジ溝４ａが形成されており、このネジ溝４ａは上蓋３内に形成されたネジ溝３ａと螺合されるようになっている。これによって、回転体４が回転することで、上蓋３の底蓋２からの距離が調整される。また、回転体４は、その歯車形成部４３の外周面に平歯車４ｂが形成されている。平歯車４ｂは、回転体４の回転軸（回転体４の円筒軸）に対して平行な歯を複数（例えば８０枚）有している。歯車４ｂは回転操作部材５に設けられた歯車５１と噛み合うようになっており、これによって、回転操作部材５の歯車５１の回転によって、回転体４が回転するようになっている。また、ネジ溝形成部４１の内周面には、内側突出部４４の上面と繋ぐように垂直方向に延びる補強リブが所定間隔に設けられている。
【００３３】
（束石１の各構成部の詳細説明：回転操作部材５）
図１から図４、及び図６を用いて、回転操作部材５の構成を説明する。回転操作部材５は、上下方向に細長く、下側に開口する椀形状の部材である。回転操作部材５は、その内部に底蓋３の突出部２１ａを挿入させて、突出部２１ａの中心線を回転軸として回転自在に底蓋２に取り付けられる。本実施形態では、底蓋２における対角線上に、２個の回転操作部材５が取り付けることで２方向からの操作が可能となるようにしているが、取り付けられる回転操作部材５の個数は、少なくとも１個以上であればよく、２個より少なくても多くてもよい。回転操作部材５の下端部における外周面には、歯車５１が形成されている。歯車５１は回転操作部材５の回転軸に対して平行な歯を複数（例えば１８枚）有している。この歯車５１の径は、回転体４の下部に形成された歯車４ｂの径よりも小さく形成されている。そして、この歯車５１が上述したように回転体４の下部に形成された歯車４ｂと噛み合い、回転操作部材５の回転によって回転体４を回転させることができるようになっている。
【００３４】
回転操作部材５の上端部は、平らに形成されており、この平らに形成された部分は、例えば６角形等の多角形に形成されており、例えば六角レンチ等の操作具８に係合されて、回転可能になっている。上述したように、回転操作部材５の回転によって、回転体４が回転される。このため、回転操作部材５は、上端面が多角形に形成されることで、回転体４を回転させるための回転操作がなされることが可能になっている。なお、この平らに形成された部分には、例えばプラス形の溝が形成されており、この溝を介して例えばドライバーで回転可能に構成されている。なお、本実施形態においては、回転操作部材５の上端が、六角レンチ及びドライバーで回転可能に構成されているが、何れか一方によって回転可能に構成されてもよい。また、回転操作部材５を回転させることができる構成であれば、如何なる構成を採用してもよい。例えば、回転操作部材５を側方から挟持して回転させるような操作具を用いれば、回転操作部材５の上端面を多角形に形成する必要も、ドライバーで操作するための溝を形成する必要もない。
【００３５】
（束石１の各構成部の詳細説明：上蓋３）
図１から図３、図５、図７から図１０を用いて、上蓋３の構成を説明する。上蓋３は、平面視において一辺が底蓋２よりも若干短い四角形状である。上蓋３は、四角形の平板状の上面部３３と、上面部３３の縁に亘って形成され下方に略直角に延びる下側壁３２と、上面部３３の周縁に亘って形成され上方に略直角に延びる上側壁３４とを有する。
【００３６】
上蓋３の下側壁３２には、４つの縦スリット溝が設けられ、上蓋３を底蓋２に係合させたときに底蓋２の側壁２２の突起２２ａが縦スリット溝に嵌まり込むようになっている。また、上蓋３の上側壁３４の下面は、下側壁３２から突出し、上蓋３を底蓋２に押し込むように下げていくと、底蓋２の側壁２２の上面が当接するようになっている。さらに、上蓋３は、その上面部３３の中心に、平面視で円形の貫通孔３６が形成されており、この貫通孔３６の周囲に床束１００を立設するための床束支持部３５が設けられている。床束支持部３５の構成を説明するために、まず、床束１００の構成を説明する。
【００３７】
図１、図８から図１０で示すように、床束１００は、アルミニウム等の金属製の平面視で四角形の筒状部材であり、下部を構成する床束下部材１０１と、上部を構成する床束上部材１０２及び大引き取付け部材１０３とを組み合わせて構成されている。床束上部材１０２の下端は、床束下部材１０１の上部開口内に挿入されるようになっており、施工者の任意の挿入度合で、床束下部材１０１の上部に形成されたビス止め用孔１０１１、１０１２を介してビス止めによって固定可能になっている。この床束上部材１０２の下端の挿入度合を調整することで、床束１００の長さを調整することができるようになっている。
【００３８】
床束上部材１０２の上端には、ネジ止め等によって、大引き取付け部材１０３が固定される。大引き取付け部材１０３は、中央に平面視で四角形状の貫通孔１０３ｂが形成されているとともに、この貫通孔１０３ｂを挟んだ位置に上方に延びる突起１０３ａを有する。この突起１０３ａが大引きに形成された凹部に嵌め入れられることで、大引き取付け部材１０３に大引きを取り付けることができる。また、床束下部材１０１の下端には、平面視で円形の鍔部１０１ｂが形成され、この鍔部１０１ｂの下面には、突起１０１ａが複数形成されている。この複数の突起１０１ａが、上蓋３の上面部３３に係合することで、床束１００が束石１に安定して支持される。
【００３９】
以降、上蓋３の床束支持部３５の説明に戻る。床束支持部３５は、上面部３３の上面において貫通孔３６の周囲を囲むリング状のフランジ部と、フランジ部の外周縁から起立するように突出形成された、リング状のリブ壁３５ａと、貫通孔３６を囲むようにフランジ部に形成された複数（例えば８個）の支持孔３５ｂとを備える。リブ壁３５ａは、平面視で貫通孔３６と同心円を描くように形成され、かつこの円の径が、床束下部材１０１の下端に形成された鍔部１０１ｂの径と一致するように形成されており、この鍔部１０１ｂを内部に嵌め入れることができるようになっている。また、複数の支持孔３５ｂは、鍔部１０１ｂの下面に形成された複数の突起１０１ａに対応する位置に形成されており、鍔部１０１ｂをリブ壁３５ａの内部に嵌め入れたときに、突起１０１ａをそれぞれ挿入することができるようになっている。このようにして、フランジ部とリブ壁３５ａと支持孔３５ｂとで、床束１００を支持することができるようになっている。
【００４０】
また、上面部３３の上面には、リブ壁３５ａの周面から上側壁３４に延びる補強リブが所定間隔に突出形成されている。さらに、上面部３３における４隅にそれぞれ貫通孔が形成されており、この４つの貫通孔のうち左前と右後に形成されたものが回転操作用孔３７であり、右前と左後に形成されたものが、コンクリート充填用孔３８としているが、これら孔３７、３８は回転操作用ともコンクリート充填用ともすることができる。回転操作用孔３７は、図３で示すように、回転操作部材５の取付け位置（突出部２１ａ）の真上に形成されており、操作具８を上方から挿入させ、この操作具８によって回転操作部材５を回転させることができるようになっているが、回転操作部材５の回転操作後はコンクリート充填用の孔として用いることができる。
【００４１】
また、コンクリート充填用孔３８は、コンクリートを上方から内部空間Ｏ１に流入させて、内部空間Ｏ１にコンクリートを充填させるための孔である。このコンクリートの充填量を調整することで、束石１の重さを調整することが可能になっている。なお、回転操作用孔３７からもコンクリートを内部空間Ｏ１（束石１の周縁部）に流入させることができるため、コンクリート充填用孔３８を備えない構成であってもよい。また、回転操作用孔３７やコンクリート充填用孔３８の形成位置や形成個数は、本実施形態の形成位置や形成個数に限定されない。また、本実施形態では、上面部３３に貫通孔３６が形成され、この貫通孔３６上に床束１００の内部が連通されるように、床束１００が上面部３３に取り付けられ、貫通孔３６は円筒体３１の内部及び回転体４の内部と連通している。従って、この床束１００における上側の開口からコンクリートを流入させ、貫通孔３６を介して、円筒体３１及び回転体４の内側（束石１の中央部）にコンクリートを充填させることも可能である。また、床束１００の内側までもコンクリートを充填するようにすれば、束石１と床束１００とをコンクリートで一体成型することができる。
【００４２】
また、上蓋３は、その上面部３３の下側面に、この下側面から貫通孔３６を囲むようにして下方に延びる円筒部３１が形成されている。円筒部３１は上下開口されており、回転体４の上部を外嵌することができるような上下方向の長さ及び径の長さで形成されている。この円筒部３１の内周の４か所には、回転体４のネジ溝４ａの上部に噛み合うネジ溝３ａが所定の幅で上端から下端にわたって形成され、これによって、円筒部３１の下端が回転体４の上端に螺着される。このため、回転体４を回転させることで、円筒部３１のネジ溝３ａと回転体４のネジ溝４ａとが螺着する上下方向の長さを微調整することができる。このようにして、回転体４を回転させることで、上蓋３を底蓋２に対して上下動可能とでき、束石１の高さを微調整することができる。なお、ネジ溝３ａは、４か所より少ない又は多い位置に形成されてもよく、また、円筒部３１の内周面の全周に亘って形成されてもよい。
【００４３】
また、下側壁３２における各外側の側面には、縦スリット溝が計４つ設けられており、各縦スリット溝は、底蓋２における側壁２２の内側に形成されている突起２２ａと係合している。
【００４４】
（束石１の製造方法）
以下に、図１及び図３を用いて、束石１の製造方法を説明する。底蓋２、上蓋３、回転体４、及び回転操作部材５を、それぞれ金型を用いて合成樹脂等を射出成形することで製造する。そして、底蓋２、上蓋３、回転体４、及び回転操作部材５を組み立てることで、束石１を製造する。具体的には、底蓋２における前左と後右の突出部２１ａに回転操作部材５を嵌め入れることで、底蓋２に回転操作部材５を取り付ける。一方、上蓋３の円筒部３１のネジ溝３ａに回転体４のネジ溝４ａを螺合させて、上蓋３と回転体４と螺着し、底蓋２の貫通孔２３内に、回転体４における下端部４７を嵌め入れて、底蓋２の貫通孔２３の周縁に形成された突出部２４の突起と下端部４７とを係合させるとともに、回転体４の歯車４ｂと回転操作部材５の歯車５１とを噛み合わせて、底蓋２内に上蓋３と回転体４を取り付ける。このようにして、上蓋３を底蓋２に取り付けることが可能になっている。なお、束石１は、底蓋２、上蓋３、回転体４、及び回転操作部材５が組み立てられた状態で運搬されてもよいが、施行現場で組み立てられることもできる。
【００４５】
（束石１を用いた構造物の基礎部分の構築方法）
以下に、デッキの構築を例に、図１を用いて、束石１を用いた構造物の基礎部分の構築方法を説明する。まず、上記のようにして組み立てられた束石１をデッキを設置するベース面に所定間隔に複数個を配置する。この後に、所望の高さに調整された床束１００を各束石１上に取り付ける。なお、上述したように、床束１００の下端の鍔部１０１ｂに形成された複数の突起１０１ａを束石１の上面部３３に形成された支持孔３５ｂに挿入しながら、リブ壁３５ａ内に鍔部１０１ｂを嵌め入れることで、床束１００を束石１の上面部３３に取り付けることができる。そして、床束１００の上端部の大引き取付け部材１０３上に大引きを取り付ける。ここで、床束１００の高さが予め施工者の所望の高さに調整されていた場合であっても、大引きを床束１００に取り付けた後に、床束１００の上面（大引き取付け部材１０３の上面：大引きの支持面）と大引きとの間に隙間ができる場合がある。また、各床束１００の上面の高さが若干不揃いとなり、大引きにガタツキが生じている場合もある。
【００４６】
このような場合には、大引きを床束１００に取り付ける際に又は取り付けた後に、束石１の高さを微調整して、床束１００の上面と大引きとの間にできた隙間を無くしたり、各床束１００の上面の高さが揃うようにする。束石１の高さは微調整は、操作具８を用いて、束石１の外側から回転操作用孔３７を介して、束石１内に設けられた回転操作部材５を操作することで行う。この束石１の高さの微調整の終了後に、必要に応じて束石１の上面部３３に形成されたコンクリート充填用孔３８や、回転操作用孔３７を介して、内部空間Ｏ１にコンクリートを流入させる。内部空間Ｏ１のコンクリートの充填量を調整することで、束石１の重さも調整される。なお、上述したように、内部空間Ｏ１にコンクリートを充填せずに、束石１を使用してもよい。また、必要に応じて床束１００に大引きを取り付ける前、或いは後に、大引き取付け部材１０３の上部に形成された貫通孔１０３ｂを介して、コンクリートを束石１内、或いは束石１及び床束１００内に流入させることもできる。床束１００に大引きを取り付けた後に、コンクリートを束石１内、或いは束石１及び床束１００内に流入させる場合は、大引きにコンクリート充填用の貫通孔を大引き取付け部材１０３の上部に形成された貫通孔１０３ｂに連通するように形成しておけばよい。
【００４７】
上述したように、本実施形態によれば、束石１の高さを調整することができる。これによって、大引きを床束１００に載置した後に、床束１００の上面（大引き取付け部材１０３の上面）と大引きとの間に隙間ができている不具合や、各床束１００の上面の高さが若干ずれている不具合がある場合に、施工現場（設置現場）で束石１の高さを調整して、床束１００における大引きの支持面（大引き取付け部材１０３の上面）の高さを調整し、このような不具合を無くすことができる。
【００４８】
（変形例）
本実施形態では、上蓋３と底蓋２とを螺着させることで、上蓋３を底蓋２に遠近自在に係合させているが、この構成に限定されず、上蓋３を底蓋２に遠近自在に係合させることができれば、如何なる構成を採用してもよい。例えば、底蓋２に上蓋３の係止用リブを複数形成し、この複数の係止用リブの何れに上蓋２を係止させるかを変更することで、上蓋３と底蓋２との間の距離を調整する構成を採用してもよい。もっとも、上蓋３を底蓋２に螺着によって係合させことが、束石１の高さを微調整することができるように構成可能であるため、好ましい。
【００４９】
また、上蓋３と底蓋２とを螺着させる構成は、本実施形態のように回転体４を介して螺着させる構成に限定されず、回転体４を介さずに螺着してもよい。例えば、上蓋３の内部にラックを設け、かつ、底蓋２の内部にピニオンを設け、ラックピニオン機構によって、上蓋３と底蓋２との間の距離を調整してもよい。
【００５０】
なお、上蓋３と底蓋２との形状は、本実施形態の形状に限定されず、例えば、平面視で四角形以外の多角形に形成されていても、円形に形成されていてもよい。
【符号の説明】
【００５１】
１    束石
２    底蓋
３    上蓋
３ａ  ネジ溝
３５  床束支持部
４    回転体
４ａ  ネジ溝
５    回転操作部材
Ｏ１    内部空間
１００  床束
【図１】
2014173233.tif 000003
【図２】
2014173233.tif 000004
【図３】
2014173233.tif 000005
【図４】
2014173233.tif 000006
【図５】
2014173233.tif 000007
【図６】
2014173233.tif 000008
【図７】
2014173233.tif 000009
【図８】
2014173233.tif 000010
【図９】
2014173233.tif 000011
【図１０】
2014173233.tif 000012